(57)【要約】【課題】  駐車場の優先駐車スペースに関し、特定の利用者による利用を優先させつつ、利用効率を向上させるための、駐車場管理装置および駐車場管理方法を提供する。【解決手段】  予め登録された優先利用者による利用を優先させる優先駐車スペースの利用状況を管理する駐車場管理装置であって、予め登録された一般利用者の連絡先情報を記憶する利用者情報記憶部と、前記一般利用者による前記優先駐車スペースの利用中に、前記優先利用者により、当該優先駐車スペースに駐車している車両の移動を要求する操作が行われると、前記利用者情報記憶部に記憶された、前記一般利用者の連絡先情報宛てに、車両移動要求情報を送信する優先駐車スペース管理部とを備える。【選択図】図２
2020047169.tif 000002
【特許請求の範囲】
【請求項１】
予め登録された優先利用者による利用を優先させる優先駐車スペースの利用状況を管理する駐車場管理装置であって、
予め登録された一般利用者の連絡先情報を記憶する利用者情報記憶部と、
前記一般利用者による前記優先駐車スペースの利用中に、前記優先利用者により、当該優先駐車スペースに駐車している車両の移動を要求する操作が行われると、前記利用者情報記憶部に記憶された、前記一般利用者の連絡先情報宛てに、車両移動要求情報を送信する優先駐車スペース管理部と
を備えることを特徴とする駐車場管理装置。
【請求項２】
前記優先駐車スペースに設置された出力装置に接続され、
前記優先駐車スペース管理部は、前記車両移動要求情報を送信した後、所定時間が経過しても前記一般利用者による前記優先駐車スペースの利用が継続していることを検知した場合には、前記出力装置から車両の移動を指示するための報知情報を出力させる
ことを特徴とする請求項１に記載の駐車場管理装置。
【請求項３】
前記優先駐車スペース管理部は、前記車両移動要求情報を送信した後、所定時間が経過しても前記優先駐車スペースの利用が継続した状況が、同一の一般利用者について所定回数発生した場合には、前記一般利用者の登録を削除するかまたは、前記一般利用者に対する課金処理を実行する
ことを特徴とする請求項１または２に記載の駐車場管理装置。
【請求項４】
前記優先駐車スペース管理部は、前記車両の移動を要求する操作を行った利用者が、前記予め登録された優先利用者であるか否かを、当該利用者が携帯する利用者端末の識別情報、当該利用者が所持するＩＣカード等の記憶媒体から読み取った情報、当該利用者により入力された暗証番号、または、当該利用者から読み取った生体情報を用いて判断する
ことを特徴とする請求項１〜３いずれか１項に記載の駐車場管理装置。
【請求項５】
予め登録された優先利用者により利用される優先駐車スペースの利用状況を管理する駐車場管理装置であって、
予め登録された優先利用者ごとの、優先度合いを示すランク情報および連絡先情報を記憶する利用者情報記憶部と、
いずれかの優先利用者による前記優先駐車スペースの利用中に、当該利用中の優先利用者よりも高いランク情報を有する優先利用者により、当該優先駐車スペースに駐車している車両の移動を要求する操作が行われると、前記利用者情報記憶部に記憶された、利用中の優先利用者の連絡先情報宛てに、車両移動要求情報を送信する優先駐車スペース管理部と
を備えることを特徴とする駐車場管理装置。
【請求項６】
予め登録された優先利用者による利用を優先させる優先駐車スペースの利用状況を管理する駐車場管理装置が、
予め登録された一般利用者の連絡先情報を記憶し、
前記一般利用者による前記優先駐車スペースの利用中に、前記優先利用者により、当該優先駐車スペースに駐車している車両の移動を要求する操作が行われると、記憶した前記一般利用者の連絡先情報宛てに、車両移動要求情報を送信する
ことを特徴とする駐車場管理方法。
【発明の詳細な説明】
【技術分野】
【０００１】
本発明は、優先利用者用の駐車スペースが設けられた駐車場の利用状況を管理する、駐車場管理装置および駐車場管理方法に関する。
【背景技術】
【０００２】
一般的に、商業施設や病院などの駐車場には、一般利用者用の一般駐車スペースとは別に、特定の利用者による利用を優先させる優先駐車スペースが設けられている。このような優先駐車スペースを設けることにより、乗降に広いスペースを必要とする車椅子利用者等が駐車場を利用しやすくなる。
【先行技術文献】
【特許文献】
【０００３】
【特許文献１】特許第６０１７７７８号公報
【発明の概要】
【発明が解決しようとする課題】
【０００４】
上述したような優先駐車スペースは、通常は一般利用者の利用が制限されているが、一般駐車スペースが混雑しており、優先駐車スペースが空いているときには一般利用者であっても優先駐車スペースを利用可能にすることが望まれる。しかし、一般利用者が優先駐車スペースに駐車した後に優先駐車スペースの利用対象である優先利用者が来場すると、当該優先利用者が優先駐車スペースを利用することができず、不都合が生じるという問題があった。
【０００５】
また、優先利用者が優先駐車スペースに駐車している場合であっても、その後に、より優先駐車スペースを必要とする他の優先利用者が来場したときには、後から来場した優先利用者に優先駐車スペースを譲ることが望まれていた。
【０００６】
本発明は上記事情に鑑みてなされたものであり、駐車場の優先駐車スペースに関し、特定の利用者による利用を優先させつつ、利用効率を向上させるための、駐車場管理装置および駐車場管理方法を提供することを目的とする。
【課題を解決するための手段】
【０００７】
上記目的を達成するための本発明の駐車場管理装置は、予め登録された優先利用者による利用を優先させる優先駐車スペースの利用状況を管理する駐車場管理装置であって、予め登録された一般利用者の連絡先情報を記憶する利用者情報記憶部と、前記一般利用者による前記優先駐車スペースの利用中に、前記優先利用者により、当該優先駐車スペースに駐車している車両の移動を要求する操作が行われると、前記利用者情報記憶部に記憶された、前記一般利用者の連絡先情報宛てに、車両移動要求情報を送信する優先駐車スペース管理部とを備えることを特徴とする。
【０００８】
また、本発明の駐車場管理方法は、予め登録された優先利用者による利用を優先させる優先駐車スペースの利用状況を管理する駐車場管理装置が、予め登録された一般利用者の連絡先情報を記憶し、前記一般利用者による前記優先駐車スペースの利用中に、前記優先利用者により、当該優先駐車スペースに駐車している車両の移動を要求する操作が行われると、記憶した前記一般利用者の連絡先情報宛てに、車両移動要求情報を送信することを特徴とする。
【発明の効果】
【０００９】
本発明の駐車場管理装置および駐車場管理方法によれば、駐車場の優先駐車スペースに関し、特定の利用者による利用を優先させつつ、利用効率を向上させることができる。
【図面の簡単な説明】
【００１０】
【図１】一実施形態による駐車場管理装置を利用した駐車場管理システムの構成を示す全体図である。
【図２】一実施形態による駐車場管理装置を利用した駐車場管理システムの構成を示すブロック図である。
【図３】一実施形態による駐車場管理装置を利用した駐車場管理システムにおいて、一般利用者が優先駐車スペースの利用を開始するときの動作を示すシーケンス図である。
【図４】一実施形態による駐車場管理装置を利用した駐車場管理システムにおいて、優先利用者が優先駐車スペースの利用を開始するときの動作を示すシーケンス図である。
【発明を実施するための形態】
【００１１】
〈一実施形態による駐車場管理装置を用いた駐車場管理システムの構成〉
本発明の一実施形態による駐車場管理システムの構成について、図１および図２を参照して説明する。本実施形態による駐車場管理システム１は、例えば商業施設等の大型の施設の駐車場を管理するシステムである。管理対象の駐車場は、一般利用者が利用する複数の一般駐車スペースＰ1〜Ｐ5と、特定の優先利用者による利用を優先させる優先駐車スペースＱとを備える。優先駐車スペースＱには、利用を制限するためのゲートＧと、当該優先駐車スペースＱに駐車している車両を検知する優先駐車スペースセンサＳとが設置されている。
【００１２】
駐車場管理システム１は、優先駐車スペースＱのゲートＧおよび優先駐車スペースセンサＳに接続された優先駐車スペース制御装置１０と、一般利用者Ｘが携帯する一般利用者端末２０と、車椅子利用者等の優先利用者Ｙが携帯する優先利用者端末３０と、優先駐車スペース制御装置１０、一般利用者端末２０、および優先利用者端末３０に通信ネットワーク４０を介して接続された駐車場管理装置５０とを備える。図１および図２においては、説明を簡略化するために、駐車場管理装置５０に接続された一般利用者端末２０および優先利用者端末３０がそれぞれ１台の場合を示しているが、複数台の一般利用者端末２０および複数台の優先利用者端末３０が駐車場管理装置５０に接続されていてもよい。
【００１３】
優先駐車スペース制御装置１０は、利用状況判断部１１と、第１ネットワーク通信部１２と、第１近距離無線通信部１３と、認証処理部１４と、ゲート開閉制御部１５とを有する。利用状況判断部１１は、優先駐車スペースセンサＳによる検知状況に基づいて、優先駐車スペースＱに車両が駐車しているか否かを判断し、判断結果に基づいて利用状況情報を生成する。第１ネットワーク通信部１２は、通信ネットワーク４０を介して駐車場管理装置５０との通信を行う。第１近距離無線通信部１３は、所定距離内にある一般利用者端末２０または優先利用者端末３０との無線通信を行う。認証処理部１４は、優先駐車スペースＱを利用可能な利用者の利用者端末情報を予め記憶し、いずれかの利用者端末からゲート開要求を取得すると、該当する利用者が優先駐車スペースＱを利用可能な利用者であるか否かを判定する認証処理を行う。ゲート開閉制御部１５は、認証処理部１４で優先駐車スペースＱを利用可能な利用者が認証されたと判定されると、ゲートＧを開状態にする。
【００１４】
一般利用者端末２０は、タッチパネル２１と、第２近距離無線通信部２２と、第２ネットワーク通信部２３とを有する。タッチパネル２１は、当該一般利用者端末２０を携帯する一般利用者による操作情報を入力するとともに、当該操作情報、並びに、優先駐車スペース制御装置１０および駐車場管理装置５０から取得した情報に基づいて表示情報を生成して表示する。第２近距離無線通信部２２は、自端末２０が優先駐車スペース制御装置１０から所定距離内の位置にあるときに、優先駐車スペース制御装置１０と無線通信を行う。第２ネットワーク通信部２３は、通信ネットワーク４０を介して駐車場管理装置５０との通信を行う。
【００１５】
優先利用者端末３０は、タッチパネル３１と、第３近距離無線通信部３２と、第３ネットワーク通信部３３とを有する。タッチパネル３１は、当該優先利用者端末３０を携帯する優先利用者による操作情報を入力するとともに、当該操作情報、並びに、優先駐車スペース制御装置１０および駐車場管理装置５０から取得した情報に基づいて表示情報を生成して表示する。第３近距離無線通信部３２は、自端末３０が優先駐車スペース制御装置１０から所定距離内の位置にあるときに、優先駐車スペース制御装置１０と無線通信を行う。第３ネットワーク通信部３３は、通信ネットワーク４０を介して駐車場管理装置５０との通信を行う。
【００１６】
駐車場管理装置５０は、利用者情報記憶部５１と、第４ネットワーク通信部５２と、優先駐車スペース管理部５３とを有する。利用者情報記憶部５１は、予め登録された、優先駐車スペースＱの優先利用者の識別情報と、優先駐車スペースＱが空いているときに利用可能な一般利用者の識別情報および連絡先情報とを記憶する。第４ネットワーク通信部５２は、通信ネットワーク４０を介して、優先駐車スペース制御装置１０、一般利用者端末２０、および優先利用者端末３０との通信を行う。優先駐車スペース管理部５３は、一般利用者による優先駐車スペースＱの利用中に、優先利用者端末３０から、当該優先駐車スペースＱに駐車している車両の移動要求を取得すると、利用者情報記憶部５１に記憶された当該一般利用者の連絡先情報宛てに、車両移動要求情報を送信する。
【００１７】
〈一実施形態による駐車場管理装置を用いた駐車場管理システムの動作〉
次に、本実施形態による駐車場管理システム１の動作について、図３〜図５を参照して説明する。本実施形態において、優先駐車スペース制御装置１０の認証処理部１４には、優先駐車スペースＱを利用可能な利用者の利用者端末情報として、一般利用者端末２０および優先利用者端末３０が予め記憶されている。また、駐車場管理装置５０の利用者情報記憶部５１には、予め登録された、優先駐車スペースＱが空いているときに利用可能な一般利用者Ｘの識別情報と、当該一般利用者Ｘの連絡先情報とが記憶されている。ここでは、一般利用者Ｘの識別情報として一般利用者端末２０の識別情報が記憶され、一般利用者Ｘの連絡先情報として一般利用者端末２０のアドレス情報が記憶されている。また、利用者情報記憶部５１には、予め登録された、優先駐車スペースＱの優先利用者Ｙの識別情報として、優先利用者端末３０の識別情報が記憶されている。また、優先駐車スペース制御装置１０の第１近距離無線通信部１３から、周辺の所定距離内のエリアに、自装置１０の識別情報を含む識別信号が所定時間間隔で出力されている。
【００１８】
また、優先駐車スペース制御装置１０の利用状況判断部１１では、優先駐車スペースセンサＳによる検知状況に基づいて、優先駐車スペースＱに車両が駐車しているか否かが所定時間間隔で判断され、当該判断に基づいて優先駐車スペースＱの利用状況情報が生成されている。生成された利用状況情報は駐車場管理装置５０に送信され、優先駐車スペース管理部５３で取得される（Ｓ１）。
【００１９】
このように各種情報が処理されている状況で、優先駐車スペースＱが空いているときに、一般利用者Ｘが一般利用者端末２０を携帯して優先駐車スペースＱに近づくと、優先駐車スペース制御装置１０から出力されている識別信号が一般利用者端末２０の第２近距離無線通信部２２で受信される。一般利用者端末２０では、優先駐車スペース制御装置１０の識別信号が受信されると、第２近距離無線通信部２２により優先駐車スペース制御装置１０の第１近距離無線通信部１３に対し、通信接続要求が送信される（Ｓ２）。優先駐車スペース制御装置１０では、一般利用者端末２０から送信された通信接続要求が第１近距離無線通信部１３で受信され、これにより一般利用者端末２０と優先駐車スペース制御装置１０との間に通信が確立される（Ｓ３、Ｓ４）。そして、当該通信が確立されたことを示す情報が、一般利用者端末２０のタッチパネル２１上に表示される。
【００２０】
表示された情報を一般利用者Ｘが視認し、タッチパネル２１上で、優先駐車スペースＱの利用状況情報を要求する操作を行うと、利用状況情報要求が一般利用者端末２０から優先駐車スペース制御装置１０に送信される（Ｓ５）。優先駐車スペース制御装置１０では、一般利用者端末２０から送信された利用状況情報要求が第１近距離無線通信部１３から受信され、利用状況判断部１１により判断された最新の優先駐車スペースＱの利用状況情報「空き状態」が取得される。取得された利用状況情報「空き状態」は、一般利用者端末２０に送信され、タッチパネル２１に表示される（Ｓ６）。
【００２１】
表示された利用状況情報「空き状態」を一般利用者Ｘが視認し、優先駐車スペースＱが空いていることから、利用許可を要求する操作を行うと、利用許可要求が第２ネットワーク通信部２３、通信ネットワーク４０を介して駐車場管理装置５０に送信される（Ｓ７）。駐車場管理装置５０では、一般利用者端末２０から送信された利用許可要求が第４ネットワーク通信部５２を介して優先駐車スペース管理部５３で取得される。優先駐車スペース管理部５３では、利用許可要求が取得されると、優先駐車スペース制御装置１０から送信された最新の優先駐車スペースＱの利用状況情報に基づいて現在優先駐車スペースＱが空き状態であると判断される。そして、当該利用許可要求の送信元の一般利用者端末２０が利用者情報記憶部５１に予め登録された、優先駐車スペースＱを利用可能な一般利用者の端末であるか否かが判定される（Ｓ８）。ここでは、当該一般利用者端末２０が優先駐車スペースＱを利用可能な一般利用者の端末であると判断され（Ｓ８の「YES」）、当該利用許可要求の送信元の一般利用者端末２０に対する優先駐車スペースＱの利用許可情報が生成されて一般利用者端末２０に送信される（Ｓ９）。送信された利用許可情報は、一般利用者端末２０のタッチパネル２１に表示される。また、駐車場管理装置５０では、利用を許可した一般利用者端末２０の識別情報が、優先駐車スペースＱを利用中の一般利用者Ｘの識別情報として優先駐車スペース管理部５３に記憶される。
【００２２】
一般利用者Ｘは、タッチパネル２１に表示された利用許可情報を視認し、優先駐車スペースＱの利用が許可されたことから、一般利用者端末２０でゲート開を要求する操作を行うと、ゲート開要求が優先駐車スペース制御装置１０に送信される（Ｓ１０）。優先駐車スペース制御装置１０では、一般利用者端末２０から送信されたゲート開要求が取得されると、認証処理部１４の認証処理により、予め記憶した情報に基づいて、該当する一般利用者Ｘが優先駐車スペースＱを利用可能な利用者であると判定される。一般利用者Ｘが優先駐車スペースＱを利用可能な利用者であると判定されると、ゲート開閉制御部１５により、ゲートＧが開状態にされる（Ｓ１１）。
【００２３】
ゲートＧが開状態になったことにより、一般利用者Ｘが車両を優先駐車スペースＱに駐車させ、利用を開始する。優先駐車スペースＱに車両が駐車されると、優先駐車スペースセンサＳで当該車両が検知され、当該検知情報が優先駐車スペース制御装置１０の利用状況判断部１１で取得される。利用状況判断部１１では、当該検知情報に基づいて、優先駐車スペースＱの利用が開始されたと判断され、該当する利用状況情報が生成される（Ｓ１２）。生成された利用状況情報は、駐車場管理装置５０に送信されるとともに、他の利用者端末から利用状況情報要求が取得されたときに提供する利用状況情報として用いられる。ここで、他の利用者端末から利用状況情報要求が取得されたときには、ステップＳ１０における認証処理部１４で一般利用者Ｘを認証していることから、一般利用者による利用中であることを示す利用状況情報が提供される。
【００２４】
その後、一般利用者Ｘによる優先駐車スペースＱの利用終了が検知されるまでの間（Ｓ１３の「NO」）に実行される処理について、図４のシーケンス図を参照して説明する。一般利用者Ｘの車両が優先駐車スペースＱに駐車されている間に、優先利用者Ｙが優先駐車スペースＱを利用しようとして、優先利用者端末３０を携帯して優先駐車スペースＱに近づくと、優先駐車スペース制御装置１０から出力されている識別信号が優先利用者端末３０の第３近距離無線通信部３２で受信される。優先利用者端末３０では、優先駐車スペース制御装置１０の識別信号が受信されると、第３近距離無線通信部３２により優先駐車スペース制御装置１０の第１近距離無線通信部１３に対し、通信接続要求が送信される（Ｓ２１）。優先駐車スペース制御装置１０では、優先利用者端末３０から送信された通信接続要求が第１近距離無線通信部１３で受信され、これにより優先利用者端末３０と優先駐車スペース制御装置１０との間に通信が確立される（Ｓ２２、Ｓ２３）。そして、当該通信が確立されたことを示す情報が、優先利用者端末３０のタッチパネル３１上に表示される。
【００２５】
表示された情報を優先利用者Ｙが視認し、タッチパネル３１上で、優先駐車スペースＱの利用状況情報を要求する操作を行うと、利用状況情報要求が優先利用者端末３０から優先駐車スペース制御装置１０に送信される（Ｓ２４）。優先駐車スペース制御装置１０では、優先利用者端末３０から送信された利用状況情報要求が第１近距離無線通信部１３から受信され、利用状況判断部１１により判断された最新の優先駐車スペースＱとして、一般利用者による利用中であることを示す利用状況情報が取得される。取得された利用状況情報は、優先利用者端末３０に送信され、タッチパネル３１に表示される（Ｓ２５）。
【００２６】
表示された利用状況情報を優先利用者Ｙが視認し、優先駐車スペースＱを一般利用者が利用中であることから、当該優先駐車スペースＱに駐車している車両の移動を要求する操作を行うと、車両移動要求が第３ネットワーク通信部３３、通信ネットワーク４０を介して駐車場管理装置５０に送信される（Ｓ２６）。駐車場管理装置５０では、優先利用者端末３０から送信された車両移動要求が第４ネットワーク通信部５２を介して優先駐車スペース管理部５３で取得される。
【００２７】
優先駐車スペース管理部５３では、記憶した情報に基づいて、一般利用者Ｘによる優先駐車スペースＱの利用中に、優先利用者から車両移動要求が取得されたと判断される。そして、当該車両要求の送信元の優先利用者端末３０が利用者情報記憶部５１に予め記憶された、優先駐車スペースＱを利用可能な優先利用者の端末であるか否かが判定される（Ｓ２７）。ここでは、当該優先利用者端末３０が優先駐車スペースＱを利用可能な優先利用者Ｙの端末であると判断される（Ｓ２７の「YES」）。そして、利用者情報記憶部５１に記憶された、現在優先駐車スペースＱを利用中の一般利用者Ｘの連絡先である一般利用者端末２０のアドレス情報宛てに、車両移動要求情報が転送される（Ｓ２８）。
【００２８】
一般利用者端末２０では、駐車場管理装置５０から送信された車両移動要求情報がタッチパネル２１に表示される（Ｓ２９）。一般利用者Ｘは、タッチパネル２１に表示された車両移動要求情報を視認し、優先駐車スペースＱに駐車した車両を移動させる。
【００２９】
一般利用者Ｘが優先駐車スペースＱから車両を移動させると、優先駐車スペースセンサＳで車両が移動したことが検知され、当該検知情報が優先駐車スペース制御装置１０の利用状況判断部１１で取得される。利用状況判断部１１では、当該検知情報に基づいて、一般利用者Ｘによる優先駐車スペースＱの利用が終了したと判断され、該当する利用状況情報が生成される（Ｓ３０）。生成された利用状況情報は、駐車場管理装置５０に送信される。駐車場管理装置５０では、優先駐車スペース管理部５３により、優先駐車スペース制御装置１０から送信された情報に基づいて一般利用者Ｘによる優先駐車スペースＱの利用が終了したと判断され、優先駐車スペース管理部５３に記憶された、利用中の一般利用者Ｘの識別情報が消去される。
【００３０】
ここで、車両移動要求が送信された後、所定時間が経過しても一般利用者Ｘによる優先駐車スペースＱの利用が継続している場合には、優先駐車スペースＱに設置された出力装置、例えばスピーカ装置（図示せず）から、車両の移動を指示するための報知情報を出力させるようにしてもよい。
【００３１】
このようにして一般利用者Ｘの車両が優先駐車スペースＱから移動されたことにより、優先利用者Ｙが当該優先駐車スペースＱを利用可能な状態になり、優先利用者Ｙが優先利用者端末３０でゲート開を要求する操作を行うと、ゲート開要求が優先駐車スペース制御装置１０に送信される（Ｓ３１）。優先駐車スペース制御装置１０では、優先利用者端末３０から送信されたゲート開要求が取得されると、認証処理部１４の認証処理により、予め記憶した情報に基づいて、該当する優先利用者Ｙが優先駐車スペースＱを利用可能な利用者であると判定される。優先利用者Ｙが優先駐車スペースＱを利用可能な利用者であると判定されると、ゲート開閉制御部１５により、ゲートＧが開状態にされる（Ｓ３２）。
【００３２】
ゲートＧが開状態になったことにより、優先利用者Ｙが車両を優先駐車スペースＱに駐車させ、利用を開始する。優先駐車スペースＱに車両が駐車されると、優先駐車スペースセンサＳで当該車両が検知され、当該検知情報が優先駐車スペース制御装置１０の利用状況判断部１１で取得される。利用状況判断部１１では、当該検知情報に基づいて、優先駐車スペースＱの利用が開始されたと判断され、該当する利用状況情報が生成される（Ｓ３３）。生成された利用状況情報は、駐車場管理装置５０に送信されるとともに、他の利用者端末から利用状況情報要求が取得されたときに提供する利用状況情報として用いられる。
【００３３】
上述した処理の中で、ステップＳ８において、利用許可要求の送信元の一般利用者端末が優先駐車スペースＱを利用可能な一般利用者の端末ではないと判断された場合（Ｓ８の「NO」）、ステップＳ１３において、一般利用者による優先駐車スペースＱの利用終了が検知された場合（Ｓ１３の「YES」、および、ステップＳ２７において、車両移動要求の送信元の優先利用者端末が優先駐車スペースＱを利用可能な優先利用者の端末ではないと判断された場合（Ｓ２７の「NO」）には、処理が終了される。
【００３４】
上述した実施形態によれば、特定利用者による優先駐車スペースの利用を優先させつつ、一般利用者による駐車スペースの利用効率を向上させることができる。
【００３５】
上述した実施形態において、駐車場管理装置５０の優先駐車スペース管理部５３は、車両移動要求を送信した後、所定時間が経過しても優先駐車スペースＱの利用が継続した状況が、同一の一般利用者について所定回数発生した場合には、駐車場管理装置５０における該当する一般利用者の登録、および優先駐車スペース制御装置１０の認証処理部１４における該当する一般利用者の登録を削除するかまたは、当該一般利用者に対する課金処理を実行するようにしてもよい。
【００３６】
また、上述した実施形態においては、駐車場管理装置５０の優先駐車スペース管理部５３および優先駐車スペース制御装置１０の認証処理部１４において、各種要求の送信操作を行った利用者が優先駐車スペースＱを利用可能な利用者であるか否かを、一般利用者端末の識別情報または優先利用者端末の識別情報を用いて判断する場合について説明した。しかし、この形態には限定されず、当該利用者が所持するＩＣカード等の記憶媒体から読み取った情報、当該利用者により入力された暗証番号、当該利用者から読み取った生体情報を用いて判断するようにしてもよい。
【００３７】
また、他の形態として、予め登録された複数の優先利用者ごとの、優先度合いを示すランク情報および連絡先情報を駐車場管理装置５０の利用者情報記憶部５１に記憶させておき、いずれかの優先利用者による優先駐車スペースＱの利用中に、当該利用中の優先利用者よりも高いランク情報を有する優先利用者により、当該優先駐車スペースに駐車している車両の移動を要求する操作が行われると、利用中の優先利用者の連絡先情報宛てに、車両移動要求情報を送信するようにしてもよい。このように処理することにより、限られた数の優先駐車スペースの利用を希望する利用者の中で、最も優先度合いの高い利用者の利用を優先させることができる。
【符号の説明】
【００３８】
１…駐車場管理システム、１０…優先駐車スペース制御装置、１１…利用状況判断部、１２…第１ネットワーク通信部、１３…第１近距離無線通信部、１４…認証処理部、１５…ゲート開閉制御部、２０…一般利用者端末、２１…タッチパネル、２２…第２近距離無線通信部、２３…第２ネットワーク通信部、３０…優先利用者端末、３１…タッチパネル、３２…第３近距離無線通信部、３３…第３ネットワーク通信部、４０…通信ネットワーク、５０…駐車場管理装置、５１…利用者情報記憶部、５２…第４ネットワーク通信部、５３…優先駐車スペース管理部
【図１】
2020047169.tif 000003
【図２】
2020047169.tif 000004
【図３】
2020047169.tif 000005
【図４】
2020047169.tif 000006